(57)【要約】【課題】各々のデータベースで独自に管理されている各商品を、労力をかけずに識別可能とする技術を提供する。【解決手段】各商品と、各商品を識別する各々の商品識別情報とを、各データベース内でユニークに対応付けている、複数のデータベースにアクセスする情報処理装置であって、情報処理装置は、撮像部により商品に付されたタグから取得された情報に基づいて、該タグの特定のデザインを示すデザインデータと、該商品の商品識別情報とをそれぞれ取得する取得部と、デザインデータと、データベースを特定する特定情報とを対応付けて記憶する記憶部から、取得されたデザインデータに対応する特定情報を読み出す読出部と、特定情報と商品識別情報とを対応付けて送信する送信部と、を有する。【選択図】図２
2014071681.tif 000002
【特許請求の範囲】
【請求項１】
各商品と、各商品を識別する各々の商品識別情報とを、各データベース内でユニークに対応付けている、複数のデータベースにアクセスする情報処理装置であって、
撮像部により商品に付されたタグから取得された情報に基づいて、該タグの特定のデザインを示すデザインデータと、該商品の商品識別情報とをそれぞれ取得する取得部と、
前記デザインデータと、前記データベースを特定する特定情報とを対応付けて記憶する記憶部から、前記取得されたデザインデータに対応する前記特定情報を読み出す読出部と、
前記特定情報と前記商品識別情報とを対応付けて送信する送信部と、
を有する情報処理装置。
【請求項２】
前記取得部は、特有のロゴマーク、前記タグの形状、及び前記タグの色のうち、少なくともいずれか１つを前記特定のデザインとして前記デザインデータを取得する、
請求項１に記載の情報処理装置。
【請求項３】
前記取得部は、予め設定された、前記タグの画像における前記特定のデザインの位置情報を用いて前記デザインデータを取得する、
請求項１または２に記載の情報処理装置。
【請求項４】
各商品と、各商品を識別する各々の商品識別情報とを、各データベース内でユニークに対応付けている、複数のデータベースにアクセスする情報処理装置により実行される情報処理方法であって、
前記情報処理装置が、
撮像部により商品に付されたタグから取得された情報に基づいて、該タグの特定のデザインを示すデザインデータと、該商品の商品識別情報とをそれぞれ取得し、
前記デザインデータと、前記データベースを特定する特定情報とを対応付けて記憶する記憶部から、前記取得されたデザインデータに対応する前記特定情報を読み出し、
前記特定情報と前記商品識別情報とを対応付けて送信する、
ことを含む情報処理方法。
【請求項５】
前記情報処理装置が、
特有のロゴマーク、前記タグの形状、及び前記タグの色のうち、少なくともいずれか１つを前記特定のデザインとして前記デザインデータを取得する、
ことを含む請求項４に記載の情報処理方法。
【請求項６】
前記情報処理装置が、
予め設定された、前記タグの画像における前記特定のデザインの位置情報を用いて前記デザインデータを取得する、
ことを含む請求項４または５に記載の情報処理方法。
【請求項７】
各商品と、各商品を識別する各々の商品識別情報とを、各データベース内でユニークに対応付けている、複数のデータベースにアクセスする情報処理装置を動作させるプログラムであって、
前記情報処理装置に、
撮像部により商品に付されたタグから取得された情報に基づいて、該タグの特定のデザインを示すデザインデータと、該商品の商品識別情報とをそれぞれ取得する取得部と、
前記デザインデータと、前記データベースを特定する特定情報とを対応付けて記憶する記憶部から、前記取得されたデザインデータに対応する前記特定情報を読み出す読出部と、
前記特定情報と前記商品識別情報とを対応付けて送信する送信部と、
を実現させるプログラム。
【発明の詳細な説明】
【技術分野】
【０００１】
本発明は、ＰＯＳ（Point Of Sale）システムで利用される情報処理装置、情報処理方法、及びそのプログラムに関する。
【背景技術】
【０００２】
企業グループの中で複数のブランドを有しており、それぞれのブランドに対して異なる屋号をつけて店舗展開を行っている企業がある。屋号の異なる各店舗は、各々商品を管理するＰＯＳシステムを構築し、精算処理や売上情報の管理を行っている場合がある。
【０００３】
下記特許文献１に記載のシステムでは、取得された商品コードを用いて、商品に関する情報が格納されたＰＬＵマスタを参照することにより、その商品コードに対応する商品情報（商品名や価格等）を取得し、精算対象の商品として登録して精算処理を行う手法が開示されている。
【先行技術文献】
【特許文献】
【０００４】
【特許文献１】特開２００３−１０９１１８号公報
【発明の概要】
【発明が解決しようとする課題】
【０００５】
近年、大型ショッピングモール等では、同一の企業が展開する、屋号の異なる複数の店舗が、１つの店舗として集約されて出店されることがある。しかし、商品を管理するシステムが屋号の異なる店舗毎に構築され、各商品を識別する商品識別情報が独自に割り当てられているような状況下で複数の店舗を集約した場合、同一の商品識別情報を有する複数の商品が存在する等の問題が生じ得る。このような場合において、上記特許文献１に記載されているような技術では、屋号の異なる各店舗を識別する構成がなく、精算処理を行うレジを屋号の異なる店舗毎に区別したり、買物客がレジに持ってきた商品がどの屋号の商品かを従業員が判断し、屋号を識別する情報を追加で入力したりしなければならない。ここで、どの屋号の商品かを識別可能とする情報を埋め込んだタグを新たに作成する等すれば、上述のような対応が不要となるが、膨大な数の商品のタグを付け替える作業が発生し、多くの労力を要する。
【０００６】
本発明は、このような事情に鑑みてなされたものであり、各々のデータベースで独自に管理されている各商品を、労力をかけずに識別可能とする技術を提供する。
【課題を解決するための手段】
【０００７】
本発明の各態様では、上述した課題を解決するために、それぞれ以下の構成を採用する。
【０００８】
第１の態様は、情報処理装置に関する。第１態様に係る情報処理装置は、各商品と、各商品を識別する各々の商品識別情報とを、各データベース内でユニークに対応付けている、複数のデータベースにアクセスする情報処理装置であって、情報処理装置は、撮像部により商品に付されたタグから取得された情報に基づいて、該タグの特定のデザインを示すデザインデータと、該商品の商品識別情報とをそれぞれ取得する取得部と、デザインデータと、データベースを特定する特定情報とを対応付けて記憶する記憶部から、取得されたデザインデータに対応する特定情報を読み出す読出部と、特定情報と商品識別情報とを対応付けて送信する送信部と、を有する。
【０００９】
第２の態様は、情報処理装置により実行される情報処理方法に関する。第２態様に係る情報処理方法は、各商品と、各商品を識別する各々の商品識別情報とを、各データベース内でユニークに対応付けている、複数のデータベースにアクセスする情報処理装置により実行される情報処理方法であって、情報処理装置が、撮像部により商品に付されたタグから取得された情報に基づいて、該タグの特定のデザインを示すデザインデータと、該商品の商品識別情報とをそれぞれ取得し、デザインデータと、データベースを特定する特定情報とを対応付けて記憶する記憶部から、取得されたデザインデータに対応する特定情報を読み出し、特定情報と商品識別情報とを対応付けて送信する、ことを含む。
【００１０】
なお、本発明の他の態様としては、上記の態様の構成を少なくとも１つの情報処理装置に実現させるプログラムであってもよいし、このようなプログラムを記録したコンピュータが読み取り可能な記録媒体であってもよい。この記録媒体は、非一時的な有形の媒体を含む。
【発明の効果】
【００１１】
上記各態様によれば、各々のデータベースで独自に管理されている各商品を、労力をかけずに識別することができる。
【図面の簡単な説明】
【００１２】
【図１】第１実施形態における情報処理装置及び管理装置のハードウェア構成例を概念的に示す図である。
【図２】第１実施形態における情報処理システムの一部の処理構成例を概念的に示す図である。
【図３】商品識別ラベルに含まれる情報の一例を示す図である。
【図４】記憶部が記憶する情報の一例を示す図である。
【図５】選別部が保持する送信先決定情報の例を示す図である。
【図６】第１実施形態における情報処理装置の処理の流れを示すフローチャートである。
【図７】商品に付されるタグの一例を示す図である。
【図８】商品に付されるタグのその他の例を示す図である。
【図９】情報処理装置に予め設定される位置情報の一例を示す図である。
【図１０】第２実施形態における情報処理装置の処理構成例を概念的に示す図である。
【図１１】第２実施形態における情報処理装置の処理の流れを示すフローチャートである。
【図１２】変形例における情報処理システムの構成例を概念的に示す図である。
【発明を実施するための形態】
【００１３】
以下、本発明の実施の形態について説明する。なお、以下に挙げる各実施形態はそれぞれ例示であり、本発明は以下の各実施形態の構成に限定されない。
【００１４】
［第１実施形態］
〔装置構成〕
図１は、情報処理装置１０及び管理装置２０のハードウェア構成例を概念的に示す図である。本実施形態において、情報処理装置１０は、撮像部により商品に付されたタグから取得された情報に基づき、タグの特定のデザインから導出される特定情報と、商品識別ラベルから取得される商品識別情報を含む情報とを取得し、当該特定情報と商品識別情報を含む情報とを対応付けて送信する。管理装置２０は、情報処理装置１０から特定情報と商品識別情報を含む情報とを売上情報として取得し、取得した特定情報に基づいて、当該売上情報を格納するデータベースを選択する。
【００１５】
図１に示されるように、情報処理装置１０は、ＣＰＵ（Central Processing Unit）２、メモリ３、通信装置４、入出力インタフェース（Ｉ／Ｆ）５等を有する。これら各ユニットは、例えば、バス６に接続される。メモリ３は、ＲＡＭ（Random Access Memory）、ＲＯＭ（Read Only Memory）、ハードディスク、可搬型記憶媒体等である。通信装置４は、無線又は有線にて、他の装置と通信を行う。
【００１６】
入出力Ｉ／Ｆ５には入出力装置７が接続されており、入出力Ｉ／Ｆ５は、ＣＰＵ２により実行される処理に応じて出力装置に音声等を出力し、入力装置からの入力信号を受け付ける。情報処理装置１０は、入出力装置７として、スキャナ装置、キーボード、又はタッチパネル等を有する。
【００１７】
ここで、スキャナ装置は、商品に付されるタグの中から商品識別ラベルを検出し、更に、そのタグの画像を撮像する。スキャナ装置は、撮像部と呼ぶこともできる。スキャナ装置は、手に持って操作するハンディスキャナであって、商品のタグからの光を、ＣＣＤ（Charge Coupled Device）等の撮像素子上に光学像として結像させ、その像に対応する電気信号からそのタグの画像データを取得するものであってもよいし、固定された読取窓を有しており、その読取窓を介し、ＣＣＤ等を用いてタグの画像データを取得するものであってもよい。スキャナ装置は、撮像素子により撮像されたタグの画像から商品識別ラベルを検出してもよい。この場合には、スキャナ装置は、タグの画像の撮像時と商品識別ラベルの撮像時とで、焦点距離や画角等を自動調整する機能を有する。また、スキャナ装置は、レーザスキャナを更に有し、このレーザスキャナを用いて商品識別ラベルを検出してもよい。なお、本実施形態では、タグの画像から商品識別ラベルを検出する場合を例に説明する。
【００１８】
管理装置２０は、情報処理装置１０と同様に、ＣＰＵ２、メモリ３、通信装置４等を有する。管理装置２０は、通信装置４を介して情報処理装置１０と通信し、情報処理装置１０から各種情報を受信する。
【００１９】
なお、本実施形態は、上述のような、情報処理装置１０及び管理装置２０のハードウェア構成を制限しない。
【００２０】
〔処理構成〕
図２は、第１実施形態における情報処理システム１の一部の処理構成例を概念的に示す図である。また、図２には、精算処理に関する構成のみが示されているため、情報装置１０及び管理装置２０は、図示される各処理部以外の多数の処理部を有する。
【００２１】
〈情報処理装置〉
情報処理装置１０は、取得部１０１、読出部１０２、記憶部１０３、及び送信部１０４等を有する。これら各処理部は、例えば、ＣＰＵ２によりメモリ３に格納されるプログラムが実行されることにより実現される。また、当該プログラムは、例えば、ＣＤ（Compact Disc）、メモリカード等のような可搬型記録媒体や他の装置からインストールされ、メモリ３に格納されてもよい。
【００２２】
取得部１０１は、撮像部（不図示）からの情報として、商品に付されるタグの画像を取得し、そのタグの画像から、特定のデザインと商品識別ラベルとを認識する。そして、取得部１０１は、認識された特定のデザインと商品識別ラベルから、その特定のデザインを示すデザインデータと商品識別情報とをそれぞれ取得する。ここで、撮像部が、自身が検出した商品識別ラベルから、商品識別情報を含む情報を取得し、取得部１０１は、撮像部により取得された商品識別情報を含む情報を更に取得してもよい。この場合、撮像部は、取得部１０１の代わりに、後述する商品識別ラベルを認識して商品識別情報を含む情報を取得する処理を行い、取得部１０１は、撮像部により取得されたタグの画像と商品識別情報を含む情報とを取得する。また、撮像部が、商品に付されるタグから、特定のデザインと商品識別ラベルとを検出し、当該検出された特定のデザインと商品識別ラベルから、デザインデータと商品識別情報を含む情報とをそれぞれ取得して取得部１０１に送信してもよい。この場合、撮像部は、取得部１０１の代わりに、後述する特定のデザインを認識してデザインデータを取得する処理、及び商品識別ラベルを認識して商品識別情報を含む情報を取得する処理を行い、取得部１０１は、撮像部により取得されたデザインデータと商品識別情報を含む情報とを取得する。
【００２３】
ここで、特定のデザインとは、例えば、ロゴマーク、タグの形状、又はタグの色等を意味する。本実施形態では、ロゴマークを特定のデザインとして認識する場合を例に説明する。また、デザインデータとは、特定のデザインの特徴を示す情報であり、例えば、特定のデザインにおける、輪郭線の特徴量や色の特徴量等とすることができる。
【００２４】
また、商品識別ラベルとは、各商品をそれぞれ特定可能とする、文字、数字、記号等から形成される商品コードがエンコードされたコードシンボルであり、一次元バーコードや二次元バーコード等で実現される。また、商品コードとは、各商品をそれぞれ特定可能とする、文字、数字、記号等から形成される識別データである。本実施形態は、商品識別ラベルから商品コードを抽出することができるのであれば、商品識別ラベルの実現形態を制限しない。取得部１０１は、スキャナ装置等の撮像部が撮像した画像から認識された商品識別ラベルを復号することにより、商品コードを抽出する。商品コードには、例えば、ＰＬＵ（Price Look Up）コード、Ｎｏｎ−ＰＬＵコード等が利用される。また、商品識別ラベルを用いて読み取られる商品コードには、例えば、ＪＡＮ（Japan Article Number）コードが利用される。
【００２５】
なお、第１実施形態における商品識別ラベルにエンコードされる商品コードは、所謂Ｎｏｎ−ＰＬＵコードであり、図３に示すように、商品を識別する品番コードに加え、その商品の価格を示す価格情報を含んでいる。この品番コードは、商品識別情報と呼ぶことができる。なお、図３は一例であり、品番コードや価格情報の桁数といった、商品識別ラベル内に含まれる情報はこれに限定されない。
【００２６】
記憶部１０３は、デザインデータと、データベースを特定する特定情報とを対応付けて、メモリ３等の記憶領域に記憶する。図４は、記憶部１０３が記憶する情報の一例を示す図である。ここで、記憶部１０３が記憶するデザインデータは、取得部１０１で取得されるデザインデータと同一の形式であり、後述する読出部１０２がこれらのデザインデータを比較することにより、取得部１０１で取得されたデザインデータに対応する特定情報が取得される。
【００２７】
読出部１０２は、取得部１０１により取得されたデザインデータを用いて、記憶部１０３から特定情報を取得する。具体的には、読出部１０２は、取得されたデザインデータと、記憶部１０３に記憶されたデザインデータとをマッチングし、対応する特定情報を取得する。
【００２８】
送信部１０４は、取得部１０１で取得された商品識別情報及び価格情報と、読出部１０２で取得された特定情報とを対応付けて、管理装置２０へ送信する。
【００２９】
〈管理装置〉
管理装置２０は、図２に示されるように、受信部２０１、選別部２０２、売上管理データベース２０３ａ、２０３ｂ等を有する。これら各処理部は、例えば、ＣＰＵ２によりメモリ３に格納されるプログラムが実行されることにより実現される。また、当該プログラムは、例えば、ＣＤ（Compact Disc）、メモリカード等のような可搬型記録媒体や他の装置からインストールされ、メモリ３に格納されてもよい。
【００３０】
受信部２０１は、情報処理装置１０から、特定情報、その特定情報に対応付けられた商品識別情報、及び価格情報を取得する。さらに、受信部２０１は、取得された特定情報、商品識別情報、及び価格情報を、選別部２０２へ送信する。
【００３１】
選別部２０２は、特定情報に基づいて、商品識別情報及び価格情報の送信先となるデータベースを決定する。例えば、選別部２０２は、図５に示すような送信先決定情報を保持しており、この送信先決定情報と情報処理装置１０から送信された特定情報に基づいて、売上管理データベース２０６ａと売上管理データベース２０６ｂのどちらに対して商品識別情報及び価格情報を送信するか決定する。
【００３２】
売上管理データベース２０３ａ、２０３ｂは、商品の売上情報を管理するテーブルであり、各商品の精算処理の結果として計上される売上情報を記憶する。図２において、売上管理データベース２０３ａは、店舗Ａに関する商品の売上情報を管理するデータベースであり、売上管理データベース２０３ｂは、店舗Ｂに関する商品の売上情報を管理するデータベースである。また、店舗Ａに関する商品及び店舗Ｂに関する商品は、売上管理データベース２０３ａ及び売上管理データベース２０３ｂのそれぞれにおいて、独自に商品識別情報が対応付けられている。そのため、店舗Ａの商品と店舗Ｂの商品において、同一の商品識別情報が対応付けられている場合が存在し得る。また、売上管理データベース２０３ａ、２０３ｂは、選別部２０２から送信される商品識別情報及び価格情報を売上情報として記憶する。
【００３３】
〔動作例〕
以下、第１実施形態における情報処理装置１０の動作について図６を用いて説明する。図６は、第１実施形態における情報処理装置１０の処理の流れを示すフローチャートである。
【００３４】
まず、情報処理装置１０は、スキャナ装置等の撮像部により撮像された、商品に付されるタグの画像を取得する（Ｓ１０２）。本実施形態では、撮像対象のタグが、図７に示すようなタグであるとする。この場合、撮像されるタグの画像は、少なくとも特定のデザインであるロゴマークが印刷される領域であるロゴマーク領域７０と、商品識別ラベルが印刷される商品識別ラベル領域７１とが含まれていればよい。そして、情報処理装置１０は、撮像されたタグの画像から、ロゴマークと、商品識別ラベルとを認識する（Ｓ１０４）。取得部１０１は、例えば、商品識別ラベル及びロゴマークを示すイメージデータを予め保持しており、パターンマッチング等を行うことで、商品識別ラベルやロゴマークを認識することができる。但し、認識の方法はこれに限定されない。
【００３５】
情報処理装置１０は、Ｓ１０４で認識された特定のデザインから、デザインデータを取得する（Ｓ１０６）。例えば、情報処理装置１０は、Ｓ１０４で認識されたロゴマークの輪郭線等から抽出される特徴量等を、デザインデータとして取得する。
【００３６】
情報処理装置１０は、Ｓ１０６で取得されたデザインデータに対応する特定情報を取得する（Ｓ１０８）。具体的には、情報処理装置１０は、記憶部１０３に記憶されるデザインデータと、Ｓ１０６で取得されたデザインデータとをマッチングすることにより、Ｓ１０６で取得されたデザインデータに対応する特定情報を取得する。例えば、記憶部１０３に図４に示す情報が記憶されており、Ｓ１０６で取得されたデザインデータが「ＸＸＸ」であると仮定した場合、情報処理装置１０は「店舗Ａ」を特定情報として取得する。
【００３７】
情報処理装置１０は、Ｓ１０４で認識された商品識別ラベルを復号化し、その商品識別ラベルから商品識別情報を含む情報を取得する（Ｓ１１０）。本実施形態においては、商品識別ラベルが、品番コード及び価格情報が含まれるＮｏｎ−ＰＬＵコードであるため、情報処理装置１０は、商品識別情報である品番コードと、価格情報とを取得する。
【００３８】
情報処理装置１０は、Ｓ１０８取得された特定情報と、Ｓ１１０で取得された商品識別情報とを対応づけて、価格情報と共に管理装置２０へ送信する（Ｓ１１２）。
【００３９】
管理装置２０は、情報処理装置１０から送信された、特定情報、商品識別情報、及び価格情報を取得する。そして、管理装置２０は、取得された特定情報を参照することで、商品識別情報及び価格情報の送信先を特定する。上述の例では、特定情報「店舗Ａ」と、図５に示される送信先決定情報とに基づき、受信した商品識別情報及び価格情報を売上情報として売上管理データベース２０３ａに送信する。
【００４０】
〔第１実施形態における作用及び効果〕
第１実施形態では、商品に付されるタグの画像から、商品を識別可能な商品識別情報とその商品の価格情報と共に、当該商品識別情報及び価格情報を送信するデータベースを特定する特定情報が取得される。そして、この特定情報により、商品識別情報及び価格情報が適切な送信先へ送信される。
【００４１】
このように、第１実施形態によれば、各店舗の各商品に付されている既存のタグに、新たな情報を付すことなく、そのままのタグを用いて商品識別情報及び価格情報を送信すべきデータベースを特定することができる。これにより、タグの貼り替えや、会計時の更なる情報の入力操作を行うことなく各店舗の商品を判別することができ、従業員の労力やシステム改修にかかる費用を削減することができる。
【００４２】
また、本実施形態では、情報処理装置１０が、ロゴマークを特定のデザインとして認識する例を示したが、これ以外にも、例えば図８に示すように、タグの形状やタグの色等を特定のデザインとして認識するようにしてもよい。
【００４３】
タグの形状を特定のデザインとして認識する場合は、情報処理装置１０は、撮像部により撮像されたタグの画像から、タグの形状を認識し、その形状から抽出される特徴量をデザインデータとして取得すればよい。タグの形状から抽出される特徴量としては、例えばエッジ検出で検出された特徴量を用いることができる。図８（ａ）では、タグの外縁の形状から取得される特徴量を、デザインデータとして用いる例を示している。例えば、図８（ａ）に示すようなタグであれば、エッジ検出の結果として抽出されるデザインデータを用いることにより、形状が異なるタグを区別することできる。
【００４４】
また、タグの色を特定のデザインとして認識する場合は、撮像部により撮像された、タグの画像から、例えば、「色相」、「彩度」、「輝度」といった、色の特徴量を抽出すればよい。情報処理装置１０は、タグの画像全体から色の特徴量を抽出してもよいが、例えば図８（ｂ）のようにタグが帯状に彩色されている等、部分的に色の特徴がある場合、該当する部分を更に検出して色の特徴量を抽出してもよい。
【００４５】
また、情報処理装置１０は、ロゴマーク、タグの形状、及びタグの色の中から、特定のデザインとして複数を認識し、デザインデータを複数取得するようにしてもよい。このようにすることで、情報処理装置１０は、Ｓ１０６の判定を多面的に行うことができ、その結果として精度よく特定情報を取得することができる。
【００４６】
また、情報処理装置１０は、図９に示すように、タグに印刷される、特定のデザイン及び商品識別ラベルの大まかな位置情報を有していてもよい。この場合、Ｓ１０４の前に、情報処理装置１０が位置情報を取得する処理を追加すればよい。この位置情報を用いることで、特定のデザイン及び商品識別ラベルの位置を予め絞り込むことができ、Ｓ１０４の認識処理の負荷を低減させることができる。
【００４７】
［第２実施形態］
第１実施形態は、商品識別ラベルがＮｏｎ−ＰＬＵコードである場合を説明した。第２実施形態では、商品識別ラベルがＰＬＵコードである場合を説明する。この場合、商品識別ラベルは、図３に示すような価格情報を含まない。
【００４８】
〔処理構成〕
図１０は、第２実施形態における情報処理装置１０の処理構成例を示す図である。第２実施形態における情報処理装置１０は、第１実施形態に加えて、抽出部１０５、及び商品マスタ１０６ａ、１０６ｂを更に有する。
【００４９】
商品マスタ１０６ａ、１０６ｂは、それぞれ異なる店舗の商品の情報を格納している。商品マスタ１０６ａは、店舗Ａの商品に関する情報を、商品識別情報に対応付けて記憶している。一方、商品マスタ１０６ｂは、店舗Ｂの商品に関する情報を、商品識別情報に対応付けて記憶している。店舗Ａ、Ｂそれぞれの商品は、商品マスタ１０６ａ、１０６ｂにおいて、独自に商品識別情報を割り当てられ、対応付けがされている。
【００５０】
抽出部１０５は、送信部１０４から送信される特定情報と商品識別情報とを用いて、商品マスタからその商品に関する情報を抽出する。具体的には、抽出部１０５は、選別部２０２と同様に、送信部１０４から送信された特定情報を用いて、商品マスタ１０６ａと商品マスタ１０６ｂのどちらを参照すればよいか特定する。そして、抽出部１０５は、商品識別情報を用いて特定された商品マスタ内を検索し、商品名や商品の価格といった、商品に関する情報を取得する。そして、抽出部１０５は、特定情報と、取得された商品に関する情報とを対応付けて、管理装置２０へ送信する。
【００５１】
〔動作例〕
以下、第２実施形態における情報処理装置１０の動作について図１１を用いて説明する。図１１は、第２実施形態における情報処理装置１０の処理の流れを示すフローチャートである。第２実施形態では、工程（Ｓ２０２）及び工程（Ｓ２０６）が第１実施形態と異なるため、これらの工程についてのみ以下に説明する。
【００５２】
情報処理装置１０は、Ｓ１０８において取得された特定情報に基づいて、検索対象の商品マスタを特定する（Ｓ２０２）。例えば、第１実施形態と同様に、Ｓ１０８において特定情報として「店舗Ａ」を取得した場合、選別部２０２と同様に、情報処理装置１０は、商品マスタ１０６ａを検索対象として特定する。
【００５３】
情報処理装置１０は、Ｓ２０２で特定された商品マスタから、Ｓ１１０で取得された商品識別情報に対応する商品の情報（商品名や価格等）を取得する（Ｓ２０４）。そして、情報処理装置１０は、Ｓ１０８で取得された特定情報と、Ｓ２０４で取得された商品の情報とを対応付けて、管理装置２０へ送信する（Ｓ２０６）。
【００５４】
管理装置２０は、第１実施形態と同様に、売上管理データベース２０３ａ及び２０３ｂのうち、受信した特定情報に対応するデータベースに、取得された商品の情報を格納する。
【００５５】
〔第２実施形態における作用及び効果〕
以上、第２実施形態においても、第１実施形態と同様の作用及び効果を得ることができる。
【００５６】
〔変形例〕
上述した実施形態において、説明の便宜上、情報処理装置１０及び管理装置２０がそれぞれ１つである場合を例に挙げたが、情報処理装置１０及び管理装置２０はそれぞれ複数であってもよい。
【００５７】
また、上述した実施形態において、売上管理データベース２０３ａ、２０３ｂは基幹装置（図示せず）が保持していてもよい。この場合、管理装置２０は、中継装置としての役割を果たし、情報処理装置１０から受信した各情報を、特定情報に基づいて基幹装置上の売上管理データベース２０３ａ又は売上管理データベース２０３ｂに振り分ける。
【００５８】
また、上述した実施形態において、管理装置２０は、売上管理データベース２０３ａ、２０３ｂのみを有し、情報処理装置１０が選別部２０２をさらに有していてもよい。
【００５９】
また、上述した実施形態において、情報処理装置１０は、商品情報を一時格納するバッファ領域を有していて、複数の商品情報をまとめて管理装置２０に送信するようにしてもよい。
【００６０】
また、上述した実施形態において、記憶部１０３は、「店舗Ａ」や「店舗Ｂ」等の代わりに、売上管理データベース２０３ａ、及び売上管理データベース２０３ｂの送信先のアドレス等を特定情報として記憶していてもよい。この場合、図５に示すような送信先決定情報が不要となり、抽出部１０５及び選別部２０２は、特定情報の送信先アドレスに基づいて送信部１０４より取得した情報を送信する。
【００６１】
また、上述の実施形態における情報処理装置１０は、サーバ装置と店舗端末とを含むＰＯＳシステムとして実現されてもよい。図１２は、変形例におけるＰＯＳシステム７００の構成例を概念的に示す図である。
【００６２】
ＰＯＳシステム７００は、サーバ装置７０５及び店舗側構成７１０から構成され、サーバ装置７０５と店舗側構成７１０とは、通信網７０１により通信可能に接続される。通信網７０１は、インターネット等のような公衆網、ＷＡＮ（Wide Area Network）、ＬＡＮ（Local Area Network）、無線通信ネットワーク等である。この通信網７０１の実現形態は制限されない。
【００６３】
店舗側構成７１０には、通信中継装置７１１、店舗端末７１５、スタンド７１６、ハンディスキャナ７１７、キャッシュドロア７１８、レシートプリンタ７１９等が含まれる。スタンド７１６は、店舗端末７１５と、他の機器（ハンディスキャナ７１７、キャッシュドロア７１８、レシートプリンタ７１９）とを通信可能に接続するための機器である。店舗端末７１５とスタンド７１６とは、例えば、Ｂｌｕｅｔｏｏｔｈ（登録商標）や赤外線通信等の短距離無線通信や無線ＬＡＮ等により接続される。スタンド７１６と他の機器とは各種通信線又は無線により接続される。通信中継装置７１１は、店舗端末７１５を通信網７０１に接続し、店舗端末７１５とサーバ装置７０５との間の通信を可能とする。なお、これら各ノード間の通信形態は制限されない。通信中継装置７１１は省かれ、店舗端末７１５は、通信中継装置７１１を介することなく、無線基地局等を介して３Ｇ回線等を用いて通信網７０１に接続されてもよい。
【００６４】
店舗端末７１５は、ＰＣ（Personal Computer）、ノートＰＣ、タブレット型端末、スマートフォン等のような汎用コンピュータであり、サーバ装置７０５との間でデータのやり取りをすることにより、上述の情報処理装置１０のユーザインタフェースを実現する。サーバ装置７０５は、一般的なサーバコンピュータであり、ＷＥＢサーバ、アプリケーションサーバ等として実現される。
【００６５】
上述の実施形態における情報処理装置１０がこのようなＰＯＳシステム７００として実現される形態では、上述の各処理部は、実現可能な限り、サーバ装置７０５及び店舗端末７１５のどちらで実現されてもよい。例えば、サーバ装置７０５と店舗端末７１５との間のインタフェースとしてＷＥＢシステムが利用される場合、上述の全処理部がサーバ装置７０５で実現され、店舗端末７１５は、単なる表示部として動作してもよい。逆に、店舗端末７１５において全処理部が実現されてもよい。また、一部の処理部がサーバ装置７０５で実現され、残りの処理部が店舗端末７１５で実現されるような形態でもよい。例えば、取得部１０１が店舗端末７１５で実現され、その他の処理部がサーバ装置７０５で実現されてもよい。
【００６６】
このように、本発明における情報処理装置１０は、複数の装置（複数のコンピュータ、複数のＣＰＵを持つ筐体）で実現されることを排除するものではない。もちろん、本発明における情報処理装置は、上述の実施形態におけるキャッシャ装置のみで実現されてもよいし、変形例におけるサーバ装置７０５のみ又は店舗端末７１５のみで実現されてもよい。
【００６７】
また、上述の説明で用いた複数のフローチャート図では、複数の工程（処理）が順番に記載されているが、各実施形態で実行される工程の実行順序は、その記載の順番に制限されない。各実施形態では、図示される工程の順番を内容的に支障のない範囲で変更することができる。また、上述の各実施形態及び各変形例は、内容が相反しない範囲で組み合わせることができる。
【符号の説明】
【００６８】
１  情報処理システム
２  ＣＰＵ
３  メモリ
４  通信装置
５  入出力Ｉ／Ｆ
６  バス
７  入出力装置
１０  情報処理装置
２０  管理装置
７０  ロゴマーク領域
７１  商品識別ラベル領域
１０１  取得部
１０２  読出部
１０３  記憶部
１０４  送信部
１０５  抽出部
１０６ａ、１０６ｂ  商品マスタ
２０１  受信部
２０２  選別部
２０３ａ、２０３ｂ  売上管理データベース
７００  ＰＯＳシステム
７０１  通信網
７０５  サーバ装置
７１０  店舗側構成
７１１  通信中継装置
７１５  店舗端末
７１６  スタンド
７１７  ハンディスキャナ
７１８  キャッシュドロア
７１９  レシートプリンタ
【図１】
2014071681.tif 000003
【図２】
2014071681.tif 000004
【図３】
2014071681.tif 000005
【図４】
2014071681.tif 000006
【図５】
2014071681.tif 000007
【図６】
2014071681.tif 000008
【図７】
2014071681.tif 000009
【図８】
2014071681.tif 000010
【図９】
2014071681.tif 000011
【図１０】
2014071681.tif 000012
【図１１】
2014071681.tif 000013
【図１２】
2014071681.tif 000014